(57)【要約】【課題】この発明は、空気洗浄機を用いることなく、簡易な構成でかご室内を脱臭できるようにし、重量増による制約、空気を循環させるための管路、エアフィルタの煩雑な定期作業を不要にできるエレベータのかごを得る。【解決手段】脱臭機能付保護幕２０は、繊維を材料とする織布や不織布からなる幕体の表面に脱臭剤として機能するゼオライトを担持させて作製されている。そして、脱臭機能付保護幕２０は、磁石の磁気吸引力を利用して、かご室１２の側壁１３の内壁面に固着されて、側壁１３の全面をほぼ覆い、かつ弛みなく設置されている。【選択図】図２
2011105464.tif 000002
【特許請求の範囲】
【請求項１】
かご室の内壁面に設置され、該かご室内の臭気ガス成分を吸着する脱臭剤を保持した脱臭機構付保護幕を備えたことを特徴とするエレベータのかご。
【請求項２】
上記脱臭機能付保護幕が上記かご室の内壁面に着脱可能に設置されていることを特徴とする請求項１記載のエレベータのかご。
【請求項３】
上記脱臭機能付保護幕が磁石の磁気吸引力を利用して上記かご室の内壁面に設置されていることを特徴とする請求項２記載のエレベータのかご。
【請求項４】
上記脱臭剤は、塩化リチウム、活性炭、アルミナ、チタニア、ジルコニア、珪素化合物、珪素複合化合物の中から選択された１つ以上を有することを特徴とする請求項１乃至請求項３のいずれか１項に記載のエレベータのかご。
【請求項５】
上記脱臭剤は、化学反応により臭気ガス成分を吸着する官能基であり、上記脱臭機能付保護幕は、基材に上記官能基を化学結合により取り付けて構成されていることを特徴とする請求項１乃至請求項３のいずれか１項に記載のエレベータのかご。
【発明の詳細な説明】
【技術分野】
【０００１】
この発明は、エレベータのかごに関し、特にかご室内の臭気を吸着して脱臭するかご室の脱臭構造に関するものである。
【背景技術】
【０００２】
従来のエレベータは、かご室の天井裏に設置された空気清浄機がかご室内の空気を吸い込んで清浄化し、清浄化された空気がかご室内に送り込まれるように構成されていた（例えば、特許文献１参照）。
【先行技術文献】
【特許文献】
【０００３】
【特許文献１】特開２００６−１２４０７０号公報
【発明の概要】
【発明が解決しようとする課題】
【０００４】
従来のエレベータでは、空気清浄機をかご室の天井裏に設置するので、天井裏に設置される各種機器の配置によっては、空気清浄機の設置スペースが確保できず、空気清浄機を設置できない場合もある。
また、空気清浄機を設置することになり、重量増による制約が発生する。
また、かご室内の空気を空気清浄機に吸い込み、清浄化された空気をかご室内に送り込んでいるので、かご室内から空気清浄機への吸気側通路と空気清浄機からかご室内への排気側通路とからなる空気循環用の管路を設置する必要があった。
また、エアフィルタを空気の吸い込み口に設置する必要があり、その清浄、交換などの煩雑な定期作業が発生する。
【０００５】
この発明は、このような課題を解決するためになされたものであって、空気洗浄機を用いることなく、簡易な構成でかご室内を脱臭できるようにし、重量増による制約、空気を循環させるための管路、エアフィルタの煩雑な定期作業を不要にできるエレベータのかごを得ることを目的とする。
【課題を解決するための手段】
【０００６】
この発明に係るエレベータのかごは、かご室の内壁面に設置され、該かご室内の臭気ガス成分を除去する脱臭剤を保持した脱臭機構付保護幕を備えている。
【発明の効果】
【０００７】
この発明によれば、臭気ガス成分を吸着する脱臭剤を保持した脱臭機構付保護幕がかご室の内壁面に設置されているので、かご室内の臭気ガス成分が脱臭剤に吸着、除去され、かご室内のが脱臭され、快適性が向上される。そこで、空気清浄機を用いることによる重量増による制約、空気を循環させるための管路、エアフィルタの煩雑な定期作業を不要にできる。
【図面の簡単な説明】
【０００８】
【図１】この発明のエレベータのかごを適用するエレベータの構成を模式的に示す断面図である。
【図２】この発明のエレベータのかごの縦断面図である。
【図３】図２のＩＩＩ−ＩＩＩ矢視断面図である。
【図４】この発明のエレベータのかごに適用される脱臭機能付保護幕を示す斜視図である。
【図５】この発明のエレベータのかごにおけるかご室内の脱臭の経時変化を示す図である。
【発明を実施するための形態】
【０００９】
図１はこの発明のエレベータのかごを適用するエレベータの構成を模式的に示す断面図、図２はこの発明のエレベータのかごの縦断面図、図３は図２のＩＩＩ−ＩＩＩ矢視断面図、図４はこの発明のエレベータのかごに適用される脱臭機能付保護幕を示す斜視図、図５はこの発明のエレベータのかごにおけるかご室内の脱臭の経時変化を示す図である。
【００１０】
図１において、駆動綱車３およびそらせ車４が昇降路１の上部に形成された機械室２内に設置され、かご１０およびつり合いおもり６が駆動綱車３とそらせ車４とに掛け渡されて昇降路１内に垂下された主ロープ５に吊り下げられている。このように構成されたエレベータは、駆動綱車３がエレベータ制御盤７により駆動制御され、かご１０およびつり合いおもり６がかご用ガイドレールおよびつり合いおもり用ガイドレール（図示せず）に案内されて昇降路１内を昇降する。
【００１１】
かご１０は、かご室１１と、かご室１１を支持するかご枠１７と、を備えている。
かご室１１は、図２および図３に示されるように、かご床１２、かご床１２上に立設され、かご室１１内を昇降路１に対して隔離する側壁１３、側壁１３の上部を塞口する天井１４、乗り場８との間で利用者の乗降を行う出入り口の戸１５、天井１４に取り付けられ、かご室１１内の照度を確保する天井照明１６、などを備えている。そして、脱臭機能付保護幕２０が、かご室１１の間口方向の両側の側壁１３の内壁面および奥行き方向後方（出入り口と反対側）の側壁１３の内壁面にそれぞれ設置されている。
【００１２】
脱臭機能付保護幕２０は、繊維を材料とする織布や不織布からなる幕体に臭気ガス成分を吸着する脱臭剤を保持させたものである。そして、多数の取付用の磁石２１が、図４に示されるように、脱臭機能付保護幕２０の背面に固着されている。脱臭機能付保護幕２０は、磁石２１の磁気吸引力により側壁１３の内壁面に固着され、各側壁１３の内壁面の全面をほぼ覆い、かつ弛みなく設置されている。なお、側壁１３の内壁面が非磁性体で作製されている場合には、鉄板などを側壁１３の内壁面に固着し、磁石２１をその磁気吸引力により鉄板に固着させて、脱臭機能付保護幕２０を設置することになる。
【００１３】
このように構成されたかご室１１においては、かご室１１内の臭気ガス成分が脱臭剤に吸着され、かご室１１内が消臭、あるいは脱臭される。
【００１４】
この発明によれば、脱臭剤が保持された脱臭機能付保護幕２０をかご室１１の側壁１３の内壁面に設置しているので、かご室１１内の臭気ガス成分が脱臭剤に吸着され、かご室１１内が消臭、あるいは脱臭され、かご室１１内の快適性が向上される。
【００１５】
また、磁石２１が脱臭機能付保護幕２０の裏面に固着されているので、脱臭機能付保護幕２０の側壁１３の内壁面への取り付け／取り外しが容易となる。そこで、脱臭剤の性能が低下すれば、簡易に新しい脱臭機能付保護幕２０に交換できる。
また、脱臭機能付保護幕２０は空気清浄機に比べて著しく軽量であり、重量増による制約もない。また、かご室１１内の空気を循環する必要もないので、空気を循環させるための配管が不要となり、空気の吸い込み口に設置されるエアフィルタが不要となり、エアフィルタの清浄、交換などの煩雑な定期作業も不要となる。
【００１６】
また、既設のかご室１１に空気清浄機を設置しようとすると、空気清浄機を取り付けるための加工、天井１４の改造もしくは交換などの大掛かりな作業を伴うが、本発明を適用すれば、脱臭機能付保護幕２０を側壁１３の内壁面に取り付けるだけでよい。したがって、現地での作業を大幅に軽減でき、既設のかご室１１を脱臭機能付きかご室１１に安価に更新できる。また、本発明では、脱臭のための電源が不要であり、省エネ効果も得られる。
【００１７】
なお、上記説明では、磁石を用いて脱臭機構付保護幕を側壁に設置するものとしているが、例えばフックを側壁に設け、脱臭機構付保護幕をフックに掛けて側壁に設置するようにしてもよい。
また、上記説明では、脱臭機構付保護幕を３方の側壁に設置するものとしているが、脱臭機構付保護幕は必ずしも３方の側壁に設置する必要はなく、例えば奥行き方向後方の側壁のみに設置してもよい。
また、上記説明では、脱臭機構付保護幕が側壁に設置されるものとしているが、脱臭機構付保護幕はかご室の内壁面に設置されていればよく、例えば天井面に設置されてもよい。
【００１８】
つぎに、脱臭機能付保護幕の構成について説明する。
【００１９】
実施例１．
この実施例１では、脱臭剤としてゼオライトを用いている。ゼオライトは、無数の穴を持つ多孔質構造となっており、水や臭気ガス成分をこの隙間に吸着する機能（吸着機構）を有している。脱臭機構付保護幕は、例えば天然高分子繊維であるデンプンを材料とする織布や不織布からなる幕体の表面にゼオライトを担持させて構成している。
【００２０】
このように構成された脱臭機構付保護幕は、かご室１１内の湿度が高いときには、空気中の水分がゼオライトに吸着され、かご室１１内の湿度が低くなると、ゼオライト粉体に吸着されていた水分がかご室１１内に放出される。そして、水分がゼオライトに吸着されるときに、空気中に含まれる臭気ガス成分も水分とともに吸着、保持される。このとき、水溶性の臭気ガス成分であるアンモニア、酢酸などは、特に効果的に除去される。
【００２１】
この実施形態１によれば、脱臭剤としてゼオライトを用いている。そこで、かご室１１内の臭気ガス成分が水分と共にゼオライトに吸着、保持され、かご室１１内の不快な臭いが消臭される。また、かご室１１内の湿度が高いときには、空気中の水分がゼオライトに吸着され、かご室１１内の湿度が低くなると、ゼオライトに吸着されていた水分がかご室１１内に放出されるので、かご室１１内の湿度調整が行われる。これらにより、かご室１１内の快適性が向上される。
【００２２】
なお、上記実施例１では、脱臭剤として調湿剤の一種であるゼオライトを用いているが、ゼオライト以外の調湿剤を用いてもよい。調湿剤とは、雰囲気湿度が高いときには、空気中の水分を吸着し、雰囲気湿度が低くなると、吸着していた水分を放出するように機能するものである。
【００２３】
調湿剤には、塩化リチウム、活性炭、アルミナ、チタニア、ジルコニア、珪素化合物、珪素複合化合物の中から選択された１つ、又は複数のものが用いられる。
珪素化合物は、具体的には、シリカ、ゼオライト、多孔質ガラス、アパタイト、珪藻土、カオリナイト、セピオライト、アロフェン、イモゴライト、活性白土などであるが、吸着性能の観点から、シリカ、セピオライト、ゼオライトなどを用いることが好ましい。
珪素複合化合物は、具体的には、シリカ−アルミナ複合化合物、シリカ−チタニア複合化合物、シリカ−酸化バリウム、シリカ−酸化ストロンチウムなどである。
【００２４】
また、上記実施例１では、繊維を材料とする織布や不織布からなる幕体の表面に調湿剤を担持させて脱臭機能付保護幕を作製しているが、調湿剤を練り込んだ繊維を材料とする織布や不織布を用いて幕体（脱臭機構付保護幕）を作製してもよい。また、脱臭機能付保護幕の幕体を構成する繊維は調湿剤を保持できればよく、デンプンに限定されるものではなく、例えばキチン、キトサン、セルロースなどの他の天然高分子繊維、ポリエステル、ポリプロピレンなどのポリオレフィン系繊維などが用いられる。
【００２５】
実施例２．
この実施例２では、脱臭剤として、極性のある物質に対して吸着性を有する、つまり化学反応により臭気ガス成分を吸着する官能基を用いている。そして、例えば、天然高分子繊維であるデンプンを材料とする織布や不織布を基材とする幕体を活性化し、官能基（ＳＯ３ＨＯＮＨ２，ＳＯ３Ｈ）を有する反応性モノマー液をディッピングやスプレーにより幕体に塗布し、グラフト重合（化学結合）により官能基を幕体の基材に取り付けて脱臭機構付保護幕を作製している。
【００２６】
このように構成された脱臭機構付保護幕では、臭気ガス成分がホルムアルデヒド（ＨＣＨＯ）である場合には、下記の化学反応式（１）により、ホルムアルデヒドをアルデヒドオキシム（ＣＨ３ＮＯ）と水に変換する。
Ｒ−ＳＯ３ＨＯＮＨ２＋ＨＣＨＯ  →  Ｒ−ＳＯ３ＣＨ３ＮＯ＋Ｈ２Ｏ      （１）
ただし、Ｒは基材である。
【００２７】
また、臭気ガス成分がアンモニア（ＮＨ３）である場合には、下記の化学反応式（２）により、アンモニアと官能基（ＳＯ３Ｈ）とが化学反応し、化学結合する。
Ｒ−ＳＯ３Ｈ＋ＮＨ３  →  Ｒ−ＳＯ３ＮＨ４      （２）
ただし、Ｒは基材である。
【００２８】
このように、臭気ガス成分がホルムアルデヒドやアセトアルデヒドなどのカルボニル化合物の場合には、カルボニル化合物が幕体に取り付けられた官能基（ＳＯ３ＨＯＮＨ２）との化学反応により除去される。
また、臭気ガス成分がアンモニアなどの塩基性成分の場合には、塩基性成分が化学反応により幕体に取り付けられた官能基（ＳＯ３Ｈ）に吸着される。
したがって、この実施例２においても、かご室１１内の不快な臭いが消臭され、かご室１１内の快適性が向上される。
また、実施の形態２では、臭気ガス成分を化学反応により除去しているので、ゼオライトによる物理吸着である上記実施例１に比べ、臭気ガス成分の吸着速度が速く、かご室１１内の不快な臭いを速やかに消臭できる。
【００２９】
ここで、実施の形態２による脱臭機構付保護幕をかご室１１の３方の側壁１３の内壁面に取り付け、ホルムアルデヒドをかご室１１内に１０ｍｇ／ｍｉｎの割合で発生させて、かご室１１内の臭気濃度を測定した結果を図５に示す。なお、ホルムアルデヒドをかご室１１内に１０ｍｇ／ｍｉｎの割合で発生させて、脱臭機構付保護幕をかご室１１に取り付けない場合のかご室１１内の臭気濃度を測定した結果を図５に併せて示す。
【００３０】
図５から、脱臭機構付保護幕が設置されていないと、かご室１１が自然換気されているので、ホルムアルデヒドの濃度は約１．１５ｐｐｍに保たれることがわかる。そして、脱臭機構付保護幕を設置すると、ホルムアルデヒドの濃度は約半分の０．６０ｐｐｍ程度に保たれ、かご室１１内が脱臭されていることが確認された。
【００３１】
なお、上記実施例２では、脱臭機能付保護幕の幕体を構成する繊維としてデンプンを用いるものとしているが、繊維は化学結合により官能基が取り付けられればよく、デンプンに限定されるものではなく、例えばキチン、キトサン、セルロースなどの他の天然高分子繊維、ポリエステル、ポリプロピレンなどのポリオレフィン系繊維などが用いられる。
また、上記実施例２では、脱臭剤として、ＳＯ３ＨＯＮＨ２およびＳＯ３Ｈからなる官能基を用いるものとしているが、官能基は化学反応により臭気ガス成分を吸着できればよく、ＳＯ３ＨＯＮＨ２およびＳＯ３Ｈに限定されない。
【符号の説明】
【００３２】
１１  かご室、１３  側壁、１４  天井、２０  脱臭機能付保護幕、２１  磁石。
【図１】
2011105464.tif 000003
【図２】
2011105464.tif 000004
【図３】
2011105464.tif 000005
【図４】
2011105464.tif 000006
【図５】
2011105464.tif 000007